(57)【要約】    【課題】作業者が各種ポールに簡単に登ることができるポール登り具の提供。    【解決手段】このポール登り具１０は、装着部１１、支持部１２及び作用部１３を備える。装着部１１は、作業者の足に装着され、保持ベルト１５〜１７によって作業者の足に固定される。支持部１２は、ゴム板２４を備え、このゴム板２４がポールに当接する。支持部１２は、ゴム板２４の当接面３４に直交する仮想面に沿って揺動する。作用部１３は、ポールを取り囲むように湾曲形成されている。支持部１２及び作用部１３は、梃子の原理によってポールを挟み着けるようにして配置される。支持部１２及び作用部１３は、装着部１１の側方に配置されている。【選択図】図２
2005224092.tif 000002
【特許請求の範囲】
【請求項１】
作業者がポールに登る際に使用されるポール登り具であって、
作業者の足に装着される装着部と、ポールの周面の一の部分に当接される支持部と、ポールの周面の他の部分に当接される作用部とを備え、
支持部、装着部及び作用部は、それぞれ、梃子の原理における支点、作業者の体重が負荷される力点及び作業者の体重に起因する上記支点回りのモーメントと釣り合う力でポールに押圧される作用点を構成し、且つ上記支点及び作用点は、上記装着部の側方領域に位置するように配置されているポール登り具。
【請求項２】
上記側方領域は、上記装着部の側方であって当該装着部の前端面に沿う仮想直線Ｌ１と後端面に沿う仮想直線Ｌ２とによって区画される領域である請求項１に記載のポール登り具。
【請求項３】
上記作用部は、ポールの周面の一の部分から他の部分へ回り込むように湾曲形成された部材からなり、
上記支持部がポールと当接することによって形成される当接面に直交する仮想平面と、上記湾曲形成された部材の湾曲方向に沿って構成される仮想平面とは、角度θで交差しており、当該角度θは、２０°以上５５°以下に設定されている請求項１又は２に記載のポール登り具。
【請求項４】
上記支持部は、上記ポールと当接することによって形成される当接面に直交する仮想平面に沿って揺動可能に設けられている請求項１ないし３のいずれかに記載のポール登り具。
【請求項５】
上記支持部を上記作用部に対して近接／離反させる距離調整機構がさらに備えられている請求項１ないし４のいずれかに記載のポール登り具。
【請求項６】
上記装着部は、
作業者が履く靴が挿入保持される保持部と、
保持部に設けられ、当該保持部を上記靴に固定する固定部とを備えている請求項１ないし５のいずれかに記載のポール登り具。
【発明の詳細な説明】
【技術分野】
【０００１】
本発明は、作業者が外灯や架線用のポール（電柱を含む）に登るための道具に関する。
【背景技術】
【０００２】
例えば、外灯用電球のメンテナンスや架線のメンテナンスの際には、作業者は、外灯用ポールや電柱に登る必要がある。電柱等には、作業者が登るための足掛部が設けられている場合もあるが、外灯用ポール等では、一般にそのような足掛部が設けられていない。そのような場合には、例えば梯子や脚立等が使用され、また、特に高所での作業の場合には高所作業車等が使用される場合もある。
【０００３】
ところが、このような手段が採用される場合には、作業者は、梯子や脚立等の大型の道具を常に携帯しておかなければならず、不便であった。従来では、この問題が解決されるために、電柱やポール等に取り付けられる足場装置が提案されている（例えば、特許文献１参照）。
【０００４】
【特許文献１】特開平７−１０２８２７号
【発明の開示】
【発明が解決しようとする課題】
【０００５】
しかしながら、従来の足場装置は電柱やポールに固定されるものであり、そのため、メンテナンスを行う作業者は、メンテナンス作業の前に足場装置の取付作業が必要であるという新たな問題があった。
【０００６】
本発明は、かかる背景のもとになされたものであって、その目的は、取り扱いが簡単で且携帯が容易であり、各種ポールに簡単に登ることができるポール登り具を提供することである。
【課題を解決するための手段】
【０００７】
（1) 上記目的が達成されるため、本願に係るポール登り具は、作業者がポールに登る際に使用されるポール登り具であって、作業者の足に装着される装着部と、ポールの周面の一の部分に当接される支持部と、ポールの周面の他の部分に当接される作用部とを備えている。支持部、装着部及び作用部は、それぞれ、梃子の原理における支点、作業者の体重が負荷される力点及び作業者の体重に起因する上記支点回りのモーメントと釣り合う力でポールに押圧される作用点を構成し、且つ上記支点及び作用点は、上記装着部の側方領域に位置するように配置されている。
【０００８】
この構成によれば、装着部に作業者の足が装着されることにより、作業者は、簡単に当該ポール登り具を装備することができる。作業者は、まず支持部をポールの周面の一の部分に当て、その状態で装着部に体重をかける。これにより、支持部を支点としてポール登り具が回転しようとするが、作用部がポールの周面の他の部分に当接され、作用点が形成される。このとき、これら支点及び作用点は、装着部の側方領域に配置されることから、支点及び作用点は、作業者の足の内股側に形成されることになる。したがって、ポールは、作業者の両足の間に配置され、且つ支持部及び作用部によって挟み込まれた状態となる。その結果、ポール登り具は、支持部及び作用部との間に生じる摩擦力によって当該ポールに位置決め固定されると共に、作業者の両足の間にポールが存在することになるから、作業者は、安心感のある作業が可能となる。
【０００９】
(2) 上記側方領域は、上記装着部の側方であって当該装着部の前端面に沿う仮想直線Ｌ１と後端面に沿う仮想直線Ｌ２とによって区画される領域である。この領域に上記支点及び作用点が位置することによって、作業者がポールを登るときは、ポールは、作業者の両足の間であって且つ作業者の正面に位置する。したがって、作業者は、一層安心感のある作業が可能となる。
【００１０】
(3) 上記作用部は、ポールの周面の一の部分から他の部分へ回り込むように湾曲形成された部材からなる。上記支持部がポールと当接することによって形成される当接面に直交する仮想平面と、上記湾曲形成された部材の湾曲方向に沿って構成される仮想平面とは、角度θで交差している。この角度θは、２０°以上５５°以下に設定されるのが好ましい。この構成では、支持部と作用部とは互いに捻れの位置関係を構成する。したがって、支持部及び作用部がポールに対して確実に噛み込むようにして固定される。
【００１１】
(4) 上記支持部は、上記ポールと当接することによって形成される当接面に直交する仮想平面に沿って揺動可能に設けられているのが好ましい。これにより、ポールが鉛直方向に対して傾斜している場合であっても、また、様々な外径のポールに対しても、支持部は、確実に当該ポールに当接することができる。
【００１２】
(5) 上記支持部を上記作用部に対して近接／離反させる距離調整機構がさらに備えられていてもよい。この構成では、ポールの外径寸法が小さい場合には、支持部が作用部に対して近接されることによって、当該ポールは、支持部及び作用部によって確実に挟み込まれる。一方、ポールの外径寸法が大きい場合には、支持部が作用部に対して離反されることによって、当該ポールは、支持部及び作用部によって確実に挟み込まれる。すなわち、距離調整機構が設けられることによって、ポールの外径寸法が変化されても、ポール登り具は、これに対応して当該ポールに確実に位置決め固定され得る。
【００１３】
(6) 上記装着部は、作業者が履く靴が挿入保持される保持部と、保持部に設けられ、当該保持部を上記靴に固定する固定部とを備えて構成され得る。これにより、作業者は、通常作業時に履く靴（安全靴等）を履いたままポール登り具を装着することができるので、ポールを登る作業を円滑に行うことができる。しかも、固定部により、ポール登り具が作業者の足に確実に固定されるので、作業の安全性が向上する。
【発明の効果】
【００１４】
以上のように本発明によれば、作業者は、外灯用のポールや電柱等に簡単且つ安全に登ることができる。しかも、ポール登り具は、作業者の足に簡単に装着されるものであるから、小型軽量であり、作業者にとって携帯に便利である。
【発明を実施するための最良の形態】
【００１５】
以下、適宜図面が参照されつつ、好ましい実施形態に基づいて本発明が詳細に説明される。
【００１６】
図１は本発明の一実施形態に係るポール登り具の右前方視斜視図であり、図２は左前方視斜視図である。
【００１７】
このポール登り具１０は、作業者が例えば外灯用のポールに登る際に使用されるものであって、装着部１１と、装着部１１に設けられた支持部１２及び作用部１３とを備えている。装着部１１は、作業者の足が固定される部分であり、支持部１２及び作用部１３は、ポールに当接する部分である（図５参照）。なお、図１及び図２は、作業者の右足に装着されるポール登り具１０を図示したものであるが、作業者の左足には、これと左右対称形状のポール登り具が装着される。
【００１８】
装着部１１は、基部１４（保持部）と、保持ベルト１５、１６、１７（固定部）とを備えている。保持ベルト１５〜１７は、例えばゴムや樹脂等により構成され得る。基部１４は、例えばスチール等の金属により構成され得るが、これに限定されるものではなく、繊維強化樹脂等により構成されていてもよい。基部１４は、同図が示すように板状部材が屈曲され、断面形状が略Ｕ状になるように形成されている。基部１４には、作業者が作業時に通常履く靴（安全靴等）が嵌め込まれるようになっている。
【００１９】
保持ベルト１５は、基部１４の前部に設けられており、基部１４の両側壁部１８、１９間に架け渡されてアーチ状に配置されている。作業者は、この保持ベルト１５の中に靴の先端部を挿入することによって、靴の先端部が保持される。この保持ベルト１５は、ベルト片１５ａ及びベルト片１５ｂを備えており、これらが連結部１５ｃによって連結されている。連結部１５ｃはラチェット機構を備えており、作業者がベルト片１５ａの先端部を引っ張ることによって、保持ベルト１５が締め付けられるようになっている。なお、この連結部１５ｃによる保持ベルト１５の締付機構は既知の構造であるので、その詳しい説明は省略される。
【００２０】
また、保持ベルト１６は基部１４の後端部に設けられており、同図が示すように、上記両側壁部１８、１９間に架け渡されてアーチ状に配置されている。作業者は、基部１４に靴を挿入し、当該靴の後方を保持ベルト１６によって覆うことによって、靴の後端部が保持される。
【００２１】
さらに、保持ベルト１７は保持ベルト１６の端部に設けられている。保持ベルト１７は、保持ベルト１６の両端部間に架け渡されており、アーチ状に配置されている。もっとも、保持ベルト１７は、基部１４の両側壁部１８、１９間に架け渡されていてもよいことは勿論である。この保持ベルト１７は、ベルト片１７ａ及びベルト片１７ｂを備えており、これらが連結部１７ｃによって連結されている。連結部１７ｃは上記保持ベルト１５の連結部１５ｃと同様にラチェット機構を備えており、作業者がベルト片１７ａの先端部を引っ張ることによって、保持ベルト１７が締め付けられるようになっている。なお、この連結部１７ｃによる保持ベルト１７の締付機構も既知の構造であるので、その詳しい説明は省略される。
【００２２】
作業者の靴が基部１４に挿入され、各保持ベルト１５、１６によって保持された状態で、保持ベルト１７が作業者の足首に巻き付けられる。そして、保持ベルト１５及び保持ベルト１７が締め付けられることによって、作業者の靴は、確実に装着部１１に固定されるようになっている。なお、保持ベルト１７のベルト片１７ｂには複数の小孔１７ｄが設けられている（図２参照）。図２が示すように、ボルト１７ｅがこの小孔１７ｄに挿通され、保持ベルト１６にねじ込まれている。これにより、ベルト片１７ｂが保持ベルト１６に締結されている。このボルト１７ｅが挿通される小孔１７ｅが変更されることにより、作業者の足首の太さに応じて、ベルト片１７ｂの長さが調整されるようになっている。
【００２３】
本実施形態では、上記支持部１２及び作用部１３は、上記基部１４に固定されているが、基部１４の補強のために、スチール等の金属からなるフレーム１４ａが設けられている。すなわち、基部１４の底部にはフレーム１４ａが取り付けられており、このフレーム１４ａに上記支持部１２及び作用部１３が取り付けられている。もっとも、このフレーム１４ａは省略され、上記支持部１２及び作用部１３が上記基部１４に直接固定されていてもよいことは勿論である。
【００２４】
図３は、図１における要部拡大斜視図であり、上記基部１４と支持部１２及び作用部１３との位置関係が図示されている。また、図４は、上記支持部１２と作用部１３との位置関係を示す模式図である。
【００２５】
図３が示すように、支持部１２は、取付部２２と、ステー２３と、ゴム板２４とを備えている。取付部２２及びステー２３は、例えばスチール等の金属により構成されている。取付部２２は、本実施形態では丸パイプからなり、上記フレーム１４ａの底面に固定されている。この取付部２２は、上記基部１４の側壁部１９側に突出するように配置されている（図２参照）。取付部２２の先端部２５は、略Ｕ字状に形成されており、この部分にステー２３が連結されている。ステー２３は平板から構成されており、その中央部が取付部２２の先端部２５に連結されている。両者の連結は、本実施形態ではボルト２７が挿通されることにより実現されており、これにより、ステー２３は、取付部２２に対してボルト２７を中心として回動可能となっている。
【００２６】
また、ゴム板２４は、ステー２３にボルト２８によって締結固定されている。ゴム板２４は、後述されるようにポールに接触する部分であるから、ゴム板２４を構成する材料は、ポールとの間で大きな摩擦力が生じるものが採用されている。本実施形態では、ゴム板２４は、略直方体状に形成されており、その前面がポールと接触する当接面３４を構成している。前述のように、ステー２３がボルト２７を中心に回動することから、支持部１２を構成するゴム板２４は、上記当接面３４に直交する仮想平面２９に沿って揺動することが可能である。なお、ゴム板２４の当接面３４は、ポールは通常円形の部材であることから、ポールの外面にぴったりと接触するために円弧状に形成されている。もっとも、この当接面３４が平坦面に形成されていてもよいことは勿論である。
【００２７】
作用部１３は、本実施形態では、丸パイプからなる。作用部１３は、図１及び図２が示すように湾曲形成されている。作用部１３は、図３が示すように、取付部３２と湾曲部３３とを備えている。取付部３２は、上記基部１４の底面部に固定されており、当該基部１４の側壁部１９側に突出するように配置されている。湾曲部３３は、取付部３２に連続して略半円形状に形成されている。また、作用部１３を構成する丸パイプには、ゴム管３１が取り付けられている（図１、図２参照）。このゴム管３１は、ポールと作用部１３との間に生じる摩擦力が大きくなるように設けられているものであるが、これが省略されていてもよい。
【００２８】
図４では、支持部１２のゴム板２４の長手方向に沿う仮想平面２９と作用部１３の丸パイプが形成する仮想平面３０とが図示されており、これら仮想平面２９、３０は、所定の角度θで交差している。すなわち、支持部１２のゴム板２４と作用部１３の丸パイプとは、互いに三次元的にねじれた状態で配置される。本実施形態では、この角度θは４０°（ｄｅｇｒｅｅ）に設定されているが、２０°〜５５°の範囲で適宜設定される。この角度θは、２５°以上に設定されるのが好ましく、３０°以上に設定されるのがより好ましい。また、この角度θは、５０°以下に設定されるのがなお好ましい。
【００２９】
後に詳述されるが、ポールは、この作用部１３と支持部１２との間に挟み込まれるように配置され、作用部１３は、ポールに巻き付いた状態で配置されるようになっている。すなわち、上記支持部１２は、ポールの外周面の一方側に当接し、作用部１３は、ポールの外周面を他方側に回り込んでポールの外周面の他方側に当接する。
【００３０】
次に、このポール登り具１０の使用方法について説明される。
図５は、ポール登り具１０の使用状態を示しており、同図では、作業者３５は、外灯のメンテナンスを行うために、外灯用のポール３６に登っている。そして、図６は、図５の要部拡大図であり、当該作業者の右足部分を詳細に図示している。作業者３５は、通常は安全靴を履いている。作業者は、両足に履いた安全靴にポール登り具１０を装着する。したがって、この場合、作業者３５の両足に装着される各ポール登り具１０は、左右対称に形成されている。
【００３１】
作業者３５は、安全靴３７をポール登り具１０の装着部１１に挿入し、上記保持ベルト１５〜１７を用いて安全靴を装着部１１に固定する。作業者３５は、まずポール３６の正面に立ち、作用部１３を作業者３５から見てポール３６の向こう側に回り込ませるように配置した状態で、支持部１２をポール３６の手前側（作業者３５の足の内股側）に当てる。作業者３５は、その状態で装着部１１に体重をかける。これにより、支持部１２を支点としてポール登り具１０が回転しようとするが、このとき、作用部１３がポールに押圧される。
【００３２】
図７は、ポール３６にポール登り具１０が取り付けられた状態における力の作用を模式的に示す図であり、図８は、ポールに作用する力の釣り合いを模式的に示す図である。また、図９は、図７におけるIX−矢視図である。
【００３３】
作業者３５がポール３６に登ったときに、ポール３６に作用する力は、図７が示すように、力Ｆ１、力Ｆ２及び力Ｆ３である。支持部１２は、ポール３６と接触する部分で支点３８を構成し、装着部１１に作業者の体重による力Ｆ１が作用する。つまり、このＦ１が作用する点が力点３９を構成する。また、力Ｆ１が作用することによって、上記支点３８を中心とするモーメントが生じるが、作用部１３がポール３６と接触する部分で作用点４０が構成され、上記モーメントと釣り合うために必要な反力Ｆ３が生じる。そして、これらＦ１及びＦ３と釣り合うための支点反力Ｆ２が上記支点３８に生じる。
【００３４】
すなわち、図８が示すように、作業者３５の体重が力Ｆ１として作用した場合に、これと釣り合うように反力Ｆ３及び支点反力Ｆ２が生じる。そして、反力Ｆ３の大きさと、支点３８を中心とする反力Ｆ３までの距離との積が、上記モーメントと釣り合う反モーメントして発生する。したがって、ポール登り具１０がポール３６に装着されたときは、上記支点３８、力点３９及び作用点４０を持つ梃子の原理が構成され、支点反力Ｆ２に起因して支持部１２とポール３６との間に生じる摩擦力及び反力Ｆ３に起因して作用部１３とポール３６との間に生じる摩擦力によって、ポール登り具１０は、ポール３６に位置決め固定され、これにより、作業者３５は、ポール３６に対して止まることができる。
【００３５】
さらに、作業者は、片足のみを持ち上げることによって、上記力Ｆ１を解除することができる。これにより、作業者３５は、ポール登り具１０をポール３６に対してスライドさせることができる。そして、作業者３５は、再びポール登り具１０に体重をかけることによって、前述と同様にポール３６に止まることができるから、結局、ポール３６を滑り落ちることなく容易に登ることができる。なお、本実施形態では、上記梃子の原理により、上記支持部１２とポール３６との間に生じる摩擦力及び上記反力Ｆ３に起因して作用部１３とポール３６との間に生じる摩擦力によって、ポール登り具１０がポール３６に位置決め固定されるので、ポール３６にテーパが形成されていても（図５参照）、作業者は、容易にポール３６を登ることができる。
【００３６】
加えて、前述のように、支持部１２の取付部２２及び作用部１３の取付部３２が上記基部１４の側壁部１９側に突出するように配置されていることから（図２参照）、上記支点３８及び作用点４０は、図９が示すように、所定の領域Ｒ（側方領域）内に存在する。具体的には、この領域Ｒは、上記基部１４のフレーム１４ａの前端面２０（装着部の前端面）に連続する仮想直線Ｌ１と、フレーム１４ａの後端面２１（装着部の後端面）に連続する仮想直線Ｌ２との間に挟まれる領域である。支点３８及び作用点４０がかかる位置に設定されることにより、作業者３５の両足の間にポール３６が存在することになるから、作業者３５は、安心感のある作業が可能となる。
【００３７】
特に本実施形態では、図３及び図４が示すように、支持部１２と作用部１３とは互いに捻れの位置関係を構成している。したがって、支持部１２及び作用部１３がポール３６に対して確実に噛み込むようにして固定されるという利点がある。このことは、上記角度θが３０°以上５０°以下に設定される場合に特に顕著である。
【００３８】
特に、本実施形態では、支持部１２は、前述のように上記ボルト２７を中心として上記仮想平面２９（図４参照）に沿って揺動可能となっているので、例えば、ポール３６が仮に鉛直方向に対して傾斜している場合であっても、支持部１２は、確実にポール３６に当接することができる。しかも、本実施形態では、上記作用部１３は、丸パイプが湾曲形成されることにより構成されているから、作用部１３の構造が簡単であり、ポール登り具１０は、簡易に且つ安価に製造され得るという利点もある。また、ポール登り具１０は、作業者３５の足に装着されるものであるから、前述のような小型で軽量に構成され、その結果、作業者３５にとって携帯がきわめて容易である。加えて、本実施形態では、装着部１１は、保持ベルト１５〜１７を備えているので、作業者３５が履く安全靴３７が確実に保持される。したがって、ポール３６に登る作業がきわめて安全である。
【００３９】
次に、本実施形態の変形例について説明される。図１０は、本実施形態の変形例に係るポール登り具７０の要部拡大斜視図である。同図は、支持部１２及びその周辺部分の構造を示している。
【００４０】
本変形例に係るポール登り具７０が上記実施形態に係るポール登り具１０と異なるところは、支持部１２が矢印７１の方向に沿ってスライドするようになっている点、すなわち、ポール登り具７０は、支持部１２を作用部１３に対して近接又は離反させる距離調整機構７２を備えている点、及び支持部１２は、距離調整機構７２と連結されるためにねじ軸７６を備えている点である。なお、その他の構成については、上記ポール登り具１０と同様である。
【００４１】
図１１は、この距離調整機構７２の構造を示す断面図である。
図１０及び図１１が示すように、支持部１２は距離調整機構７２と連結されており、この距離調整機構７２は、支持パイプ７３と、ナット部材７４と、操作摘み７５とを備えている。
【００４２】
支持パイプ７３は、円筒状に形成されており、装着部１１のフレーム１４ａに固定されている。支持部１２の取付部２２は、この支持パイプ７３に挿通されている。支持パイプ７３の内径寸法は、取付部２２の外径寸法に対応されており、取付部２２は、支持パイプ７３の内部を軸方向に（矢印７１の方向に）スライドすることができる。本変形例では、この取付部２２の後端部に上記ねじ軸７６が設けられている。このねじ軸７６の外周面には、雄ねじ７６ａが形成されている。
【００４３】
ナット部材７４は、支持パイプ７３と同様に円筒状に形成されている。ナット部材７４は、円筒部７７とナット７８とを備えている。ナット７８は、円筒部７７の端面に固定されている。ナット部材７４は、支持パイプ７３の軸方向に沿って当該支持パイプ７３と並設されている。ただし、ナット部材７４と支持パイプ７３とは固着されておらず、ナット部材７４は、支持パイプ７３に対して相対的に回転可能となっている。
【００４４】
上記ナット７８の内壁面には雌ねじが形成されている。支持パイプ７３に挿通された上記ねじ軸７６は、ナット７８と螺合し、円筒部７７に挿通されている。円筒部７７の端面７９には操作摘み取付軸８０が設けられている。この操作摘み取付軸８０は、フレーム１４ａを貫通しており、フレーム１４ａの外側に露出している。上記操作摘み７５は、図１１が示すように、フレーム１４ａの外側において操作摘み取付軸８０に固定されている。
【００４５】
この操作摘み７５が回転されることによって、ナット部材７４が回転される。これにより、上記ねじ軸７６がナット７８に対して相対的にスライドする。このことは、支持部１２の取付部２２が支持パイプ７３に案内されながら、上記矢印７１の方向に沿ってスライドすることを意味する。つまり、支持部１２は、作用部１３に対して近接又は離反することができる。
【００４６】
したがって、前述のように、実際に設置されているポールの外径寸法はさまざまであるが、作業者３５（図５及び図６参照）がポール３６に登る際には、作業者は、当該ポール３６の外径寸法に合わせて支持部１２の好ましい位置を決定することができる。その結果、作業者は、ポールの外径寸法の大小にかかわらず、安全に登ることができる。また、ポールの種類によっては、大きなテーパが形成され、下方の外径寸法が大きく、上方の外径寸法が小さいものもある。その場合においても、作業者は、ポールに登っていく際中において、上記操作摘み７５を操作することによって当該ポールの外径寸法に対応させて支持部１２の位置を調整することができ、きわめて安全に登ることができる。
【００４７】
なお、この変形例では、距離調整機構７２としては、雄ねじ７６ａが形成された取付部２２と、これと螺合するナット部材７４とによって構成されるねじ機構が採用されているが、距離調整機構７２は、かかる機構に限定されるものではない。距離調整機構７２は、要するに、支持部１２が作用部１３に対して近接し離反し得るような機構が採用されればよい。
【産業上の利用可能性】
【００４８】
本発明は、外灯等のメンテナンスの際に作業者がポールに登るためのポール登り具に適用され得る。
【図面の簡単な説明】
【００４９】
【図１】図１は、本発明の一実施形態に係るポール登り具の右前方視斜視図である。
【図２】図２は、本発明の一実施形態に係るポール登り具の左前方視斜視図である。
【図３】図３は、図１における要部拡大斜視図である。
【図４】図４は、本発明の一実施形態に係るポール登り具の支持部と作用部との位置関係を示す模式図である。
【図５】図５は、本発明の一実施形態に係るポール登り具の使用状態を示す図である。
【図６】図６は、図５の要部拡大図である。
【図７】図７は、本発明の一実施形態に係るポール登り具がポールに取り付けられた状態における力の作用を模式的に示す図である。
【図８】図８は、本発明の一実施形態に係るポール登り具がポールに取り付けられた状態における力の釣合を模式的に示す図である。
【図９】図９は、図７におけるIX−矢視図である。
【図１０】図１０は、本発明の一実施形態の変形例に係るポール登り具の要部拡大斜視図である。
【図１１】図１１は、本発明の一実施形態の変形例に係るポール登り具の距離調整機構の構造を示す断面図である。
【符号の説明】
【００５０】
１０・・・ポール登り具
１１・・・装着部
１２・・・支持部
１３・・・作用部
１４・・・基部
１５・・・保持ベルト
１６・・・保持ベルト
１７・・・保持ベルト
２０・・・前端面
２１・・・後端面
２２・・・取付部
２３・・・ステー
２４・・・ゴム板
２５・・・先端部
２６・・・連結部
２７・・・ボルト
２８・・・ボルト
２９・・・仮想平面
３０・・・仮想平面
３１・・・ゴム管
３２・・・取付部
３３・・・湾曲部
３４・・・当接面
３６・・・ポール
３８・・・支点
３９・・・力点
４０・・・作用点
７０・・・ポール登り具
７２・・・距離調整機構
７３・・・支持パイプ
７４・・・ナット部材
７５・・・操作摘み
７６・・・ねじ軸
７７・・・円筒部
７９・・・端面
８０・・・操作摘み取付軸
Ｒ・・・側方領域
【図１】
2005224092.tif 000003
【図２】
2005224092.tif 000004
【図３】
2005224092.tif 000005
【図４】
2005224092.tif 000006
【図５】
2005224092.tif 000007
【図６】
2005224092.tif 000008
【図７】
2005224092.tif 000009
【図８】
2005224092.tif 000010
【図９】
2005224092.tif 000011
【図１０】
2005224092.tif 000012
【図１１】
2005224092.tif 000013